(57)【要約】      （修正有）【課題】ペン先からインキが漏出してもそのインキが先端開口より外部に漏出するおそれがなく、衣服や手が漏出インキで汚れるおそれがない出没式筆記具を提供する。【解決手段】軸筒２内に筆記体を前後方向に移動可能に収容し、筆記体３のペン先３１を軸筒２の先端開口２１より出没可能に構成する。軸筒２の内部に、開閉自在の開閉口４１を備える開閉部材４を設ける。開閉部材４の先端を軸筒２の先端よりも後方に配置する。開閉部材４が径方向に開閉自在な複数の可動片を備える。可動片相互間に開閉自在の開閉口４１を形成する。ペン先３１が先端開口２１から突出状態のとき、開閉口４１が開口し且つ開閉口４１にペン先３１が挿通される。一方、ペン先３１が軸筒２内に没入状態のとき、開閉口４１が略閉鎖し且つ開閉口４１が毛細間隙４２を形成してなる。【選択図】図２
0003148691.tif 000002
【実用新案登録請求の範囲】
【請求項１】
軸筒内に筆記体を前後方向に移動可能に収容し、前記筆記体のペン先を軸筒の先端開口より出没可能に構成した出没式筆記具であって、軸筒の内部に、開閉自在の開閉口を備える開閉部材を設け、前記開閉部材の先端を軸筒の先端よりも後方に配置し、ペン先が先端開口から突出状態のとき、前記開閉口が開口し且つ前記開閉口にペン先が挿通され、一方、ペン先が軸筒内に没入状態のとき、前記開閉口が略閉鎖し且つ前記開閉口が毛細間隙を形成してなることを特徴とする出没式筆記具。
【請求項２】
ペン先が軸筒内に没入状態のとき、略閉鎖した開閉部材の先端部に、前記毛細間隙を有する凹状壁部を形成してなる請求項１記載の出没式筆記具。
【請求項３】
ペン先が軸筒内に没入状態のとき、前記凹状壁部後方の開閉部材側壁に、凹状壁部内と外気とを連通させる窓孔を形成してなる請求項２記載の出没式筆記具。
【請求項４】
軸筒内に筆記体を前後方向に移動可能に収容し、前記筆記体のペン先を軸筒の先端開口より出没可能に構成した出没式筆記具であって、軸筒の内部に、開閉自在の開閉口を備える開閉部材を設け、前記開閉部材の先端を軸筒の先端よりも後方に配置し、前記開閉部材が径方向に開閉自在な複数の可動片を備え、前記可動片の相互間に開閉自在の開閉口を形成し、ペン先が先端開口から突出状態のとき、前記開閉口が開口し且つ前記開閉口にペン先が挿通され、一方、ペン先が軸筒内に没入状態のとき、前記開閉口が略閉鎖し且つ前記開閉口が毛細間隙を形成してなることを特徴とする出没式筆記具。
【請求項５】
ペン先が軸筒内に没入状態のとき、略閉鎖した可動片の先端部に、前記毛細間隙を有する凹状壁部を形成してなる請求項４記載の出没式筆記具。
【請求項６】
ペン先が軸筒内に没入状態のとき、前記凹状壁部後方の可動片相互間に、凹状壁部内と外気とを連通させる窓孔を形成してなる請求項５記載の出没式筆記具。
【請求項７】
軸筒内に筆記体を前後方向に移動可能に収容し、前記筆記体のペン先を軸筒の先端開口より出没可能に構成した出没式筆記具であって、軸筒の内部に、開閉自在の開閉口を備える開閉部材を設け、前記開閉部材の先端を軸筒の先端よりも後方に配置し、前記開閉部材を弾性体により構成し、ペン先が先端開口から突出状態のとき、前記開閉口が開口し且つ前記開閉口にペン先が挿通され、一方、ペン先が軸筒内に没入状態のとき、前記開閉口が略閉鎖し且つ前記開閉口がスリットまたは微細孔からなる毛細間隙を形成してなることを特徴とする出没式筆記具。
【請求項８】
前記開閉部材が径方向に開閉自在な複数の可動片を備え、前記可動片の相互間に開閉自在の開閉口を形成し、ペン先が軸筒内に没入状態のとき、略閉鎖した可動片により、前記毛細間隙を有する凹状壁部を構成してなる請求項７記載の出没式筆記具。
【請求項９】
前記凹状壁部の内面に凹凸部を設けた請求項２、３、５、６または８記載の出没式筆記具。
【請求項１０】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキの粘度が、２０℃において、１ｍＰａ・ｓ〜５０ｍＰａ・ｓの範囲である請求項１乃至９のいずれかに記載の出没式筆記具。
【請求項１１】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲である請求項１乃至９のいずれかに記載の出没式筆記具。
【考案の詳細な説明】
【技術分野】
【０００１】
本考案は、出没式筆記具に関する。詳細には、軸筒内部に筆記体を前後方向に移動可能に収容し、前記筆記体のペン先を軸筒の先端開口より出没可能に構成した出没式筆記具に関する。
【背景技術】
【０００２】
従来、この種の出没式筆記具において、軸筒の先端開口に切り込みを有する弾性シール部材を配置し、前記切り込みを通してペン先を出没可能に構成したペン先密封構造が知られている。（例えば、特許文献１）
【０００３】
【特許文献１】実公昭４４−１７１２号公報
【考案の開示】
【考案が解決しようとする課題】
【０００４】
前記従来の出没式筆記具（特許文献１）は、ペン先を完全に密封し、ペン先の乾燥を防止するものであるため、万が一、ペン先からインキが漏出した場合、その漏出インキが滴下して弾性シール部材の内面に溜まり、ペン先を突出させた際に切り込みを開口させると、前記漏出インキが先端開口から外部に漏れ出すおそれがある。
【０００５】
本考案は、前記従来の問題点を解決するものであって、ペン先からインキが漏出してもそのインキが先端開口より外部に漏出するおそれがなく、衣服や手が漏出インキで汚れるおそれがない出没式筆記具を提供しようとするものである。尚、本考案において、「前」とはペン先側を指し、一方、「後」とはその反対側を指す。
【課題を解決するための手段】
【０００６】
［１］本考案は、軸筒２内に筆記体３を前後方向に移動可能に収容し、前記筆記体３のペン先３１を軸筒２の先端開口２１より出没可能に構成した出没式筆記具であって、軸筒２の内部に、開閉自在の開閉口４１を備える開閉部材４を設け、前記開閉部材４の先端を軸筒２の先端よりも後方に配置し、ペン先３１が先端開口２１から突出状態のとき、前記開閉口４１が開口し且つ前記開閉口４１にペン先３１が挿通され、一方、ペン先３１が軸筒２内に没入状態のとき、前記開閉口４１が略閉鎖し且つ前記開閉口４１が毛細間隙４２を形成してなること（請求項１）を要件とする。
【０００７】
前記出没式筆記具１（請求項１）によれば、ペン先３１が軸筒２内に没入状態にあるとき、ペン先３１からインキが漏出し滴下したとしても、前記漏出インキが前記開閉口４１の毛細間隙４２に一時的に保持される。そのため、先端開口２１からインキが外部に漏出するおそれがない。さらに、前記出没式筆記具１（請求項１）によれば、前記毛細間隙４２は先端開口２１を通して外気と連通されているため、前記保持した漏出インキを迅速に乾燥させることができ、その後、開閉口４１を大きく開口させ、ペン先３１を先端開口２１から突出させても、インキが外部に漏出するおそれがない。
【０００８】
また、前記出没式筆記具１（請求項１）によれば、開閉部材４を軸筒２の内部に設け、前記開閉部材４の先端を軸筒２の先端よりも後方に配置したことにより、ペン先３１が軸筒２内に没入状態のとき、開閉部材４の先端は、軸筒２内に位置し、外部に突出していない。そのため、開閉部材４の先端が衣服や手に接触することを回避し、衣服や手が漏出インキで汚れるおそれがない。
【０００９】
尚、前記毛細間隙４２とは、毛細管力を有する間隙をいう。前記毛細間隙４２の間隙寸法は、具体的には、０．０１ｍｍ〜０．２ｍｍ（さらに好ましくは０．０１ｍｍ〜０．１０ｍｍ）の範囲が好ましい。また、前記毛細間隙４２は、一定の間隙寸法を備えなくてもよく、また、複数に分割された構成でもよい。尚、前記略閉鎖状態にある開閉口４１（即ち毛細間隙４２）は、例えば、スリット（切り込み）または微細孔が挙げられる。尚、前記出没式筆記具１（請求項１）において、前記開閉部材４は、硬質合成樹脂、金属、弾性体（ゴム、エラストマー、軟質合成樹脂）等のいずれによって構成してもよいが、安定した毛細間隙４２が得られる点で、硬質合成樹脂または金属が好ましい。前記硬質合成樹脂としては、ポリアセタール樹脂、ポリカーボネイト樹脂、またはＡＢＳ樹脂等が挙げられる。
【００１０】
［２］前記出没式筆記具１（請求項１）において、ペン先３１が軸筒２内に没入状態のとき、略閉鎖した開閉部材４の先端部に、前記毛細間隙４２を有する凹状壁部４５を形成してなること（請求項２）が好ましい。
【００１１】
前記出没式筆記具１（請求項２）によれば、ペン先３１が軸筒２内に没入状態にあるとき、ペン先３１からインキが漏出し滴下したとしても、凹状壁部４５内面が、ペン先３１から漏出し滴下したインキを確実に受け止めるとともに、開閉口４１の毛細間隙４２だけでは保持しきれない余剰の漏出インキを一時的に保持する。それにより、ペン先３１からインキが漏出し滴下したとしても、先端開口２１からインキが外部に漏出することを、より一層、回避することができる。
【００１２】
［３］前記出没式筆記具１（請求項２）において、ペン先３１が軸筒２内に没入状態のとき、前記凹状壁部４５後方の開閉部材４側壁に、凹状壁部４５内と外気とを連通させる窓孔４７を形成してなること（請求項３）が好ましい。
【００１３】
前記出没式筆記具１(請求項３)によれば、ペン先３１が軸筒２内に没入状態のとき、凹状壁部４５内が窓孔４７を通して外気と連通しているため、毛細間隙４２及び凹状壁部４５に保持されたインキを、より一層、迅速に乾燥させることができる。
【００１４】
［４］また、本考案は、軸筒２内に筆記体３を前後方向に移動可能に収容し、前記筆記体３のペン先３１を軸筒２の先端開口２１より出没可能に構成した出没式筆記具であって、軸筒２の内部に、開閉自在の開閉口４１を備える開閉部材４を設け、前記開閉部材４の先端を軸筒２の先端よりも後方に配置し、前記開閉部材４が径方向に開閉自在な複数の可動片４３を備え、前記可動片４３の相互間に開閉自在の開閉口４１を形成し、ペン先３１が先端開口２１から突出状態のとき、前記開閉口４１が開口し且つ前記開閉口４１にペン先３１が挿通され、一方、ペン先３１が軸筒２内に没入状態のとき、前記開閉口４１が略閉鎖し且つ前記開閉口４１が毛細間隙４２を形成してなること（請求項４）を要件とする。
【００１５】
前記出没式筆記具１（請求項４）によれば、ペン先３１が軸筒２内に没入状態にあるとき、ペン先３１からインキが漏出し滴下したとしても、前記漏出インキが前記開閉口４１の毛細間隙４２に一時的に保持される。そのため、先端開口２１からインキが外部に漏出するおそれがない。さらに、前記出没式筆記具１（請求項４）によれば、前記毛細間隙４２は先端開口２１を通して外気と連通されているため、前記保持した漏出インキを迅速に乾燥させることができ、その後、開閉口４１を大きく開口させ、ペン先３１を先端開口２１から突出させても、インキが外部に漏出するおそれがない。
【００１６】
また、前記出没式筆記具１（請求項４）によれば、開閉部材４を軸筒２の内部に設け、前記開閉部材４の先端を軸筒２の先端よりも後方に配置したことにより、ペン先３１が軸筒２内に没入状態のとき、開閉部材４の先端は軸筒２内に位置し、外部に突出していない。そのため、開閉部材４の先端が衣服や手に接触することを回避し、衣服や手に漏出インキが付着して汚れるおそれがない。
【００１７】
尚、前記毛細間隙４２とは、毛細管力を有する間隙をいう。前記毛細間隙４２の間隙寸法は、具体的には、０．０１ｍｍ〜０．５ｍｍ（好ましくは０．０１ｍｍ〜０．２０ｍｍ、さらに好ましくは０．０１ｍｍ〜０．１０ｍｍ）の範囲が有効である。また、前記毛細間隙４２は、一定の間隙寸法を備えなくてもよく、また、複数に分割された構成でもよい。前記略閉鎖状態にある開閉口４１（即ち毛細間隙４２）は、可動片４３の相互間に、スリット状（切り込み状）に形成される。尚、前記出没式筆記具１（請求項４）において、前記開閉部材４は、硬質合成樹脂、金属、弾性体（ゴム、エラストマー、軟質合成樹脂）等のいずれによって構成してもよいが、安定した毛細間隙４２が得られる点で、硬質合成樹脂または金属が好ましい。前記硬質合成樹脂としては、ポリアセタール樹脂、ポリカーボネイト樹脂、またはＡＢＳ樹脂等が挙げられる。
【００１８】
［５］前記出没式筆記具１（請求項４）において、ペン先３１が軸筒２内に没入状態のとき、略閉鎖した可動片４３の先端部に、前記毛細間隙４２を有する凹状壁部４５を形成してなること（請求項５）が好ましい。
【００１９】
前記出没式筆記具１（請求項５）によれば、ペン先３１が軸筒２内に没入状態にあるとき、ペン先３１からインキが漏出し滴下したとしても、凹状壁部４５内面が、ペン先３１から漏出し滴下したインキを確実に受け止めるとともに、開閉口４１の毛細間隙４２だけでは保持しきれない余剰の漏出インキを一時的に保持する。それにより、ペン先３１からインキが漏出し滴下したとしても、先端開口２１からインキが外部に漏出することを、より一層、回避することができる。
【００２０】
［６］前記出没式筆記具１（請求項５）において、ペン先３１が軸筒２内に没入状態のとき、前記凹状壁部４５後方の可動片４３相互間に、凹状壁部４５内と外気とを連通させる窓孔４７を形成してなること（請求項６）が好ましい。
【００２１】
前記出没式筆記具１（請求項６）によれば、ペン先３１が軸筒２内に没入状態のとき、凹状壁部４５内が窓孔４７を通して外気と連通しているため、毛細間隙４２及び凹状壁部４５に保持されたインキを、より一層、迅速に乾燥させることができる。
【００２２】
［７］また、本考案は、軸筒２内に筆記具３を前後方向に移動可能に収容し、前記筆記具３のペン先３１を軸筒２の先端開口２１より出没可能に構成した出没式筆記具であって、軸筒２の内部に、開閉自在の開閉口４１を備える開閉部材４を設け、前記開閉部材４の先端を軸筒２の先端よりも後方に配置し、前記開閉部材４を弾性体により構成し、ペン先３１が先端開口２１から突出状態のとき、前記開閉口４１が開口し且つ前記開閉口４１にペン先３１が挿通され、一方、ペン先３１が軸筒２内に没入状態のとき、前記開閉口４１が略閉鎖し且つ前記開閉口４１がスリットまたは微細孔からなる毛細間隙４２を形成してなること（請求項７）を要件とする。
【００２３】
前記出没式筆記具１（請求項７）によれば、ペン先３１が軸筒２内に没入状態にあるとき、ペン先３１からインキが漏出し滴下したとしても、前記漏出インキが前記開閉口４１の毛細間隙４２に一時的に保持される。そのため、先端開口２１からインキが外部に漏出するおそれがない。さらに、前記出没式筆記具１（請求項７）によれば、前記毛細間隙４２は先端開口２１を通して外気と連通されているため、前記保持した漏出インキを迅速に乾燥させることができ、その後、開閉口４１を大きく開口させ、ペン先３１を先端開口２１から突出させても、インキが外部に漏出するおそれがない。
【００２４】
また、前記出没式筆記具１（請求項７）によれば、開閉部材４を軸筒２の内部に設け、前記開閉部材４の先端を軸筒２の先端よりも後方に配置したことにより、ペン先３１が軸筒２内に没入状態のとき、開閉部材４の先端は軸筒２内に位置し、外部に突出していない。そのため、開閉部材４の先端が衣服や手に接触することを回避し、衣服や手に漏出インキが付着して汚れるおそれがない。また、前記出没式筆記具１（請求項７）によれば、開閉部材４を弾性体により構成することによって、開閉部材４の自己復元力により、容易に、開閉口４１を略閉鎖状態にすることができる。
【００２５】
尚、前記毛細間隙４２とは、毛細管力を有する間隙をいう。前記毛細間隙４２の間隙寸法は、具体的には、０．０１ｍｍ〜０．５ｍｍ（好ましくは０．０１ｍｍ〜０．２０ｍｍ、さらに好ましくは０．０１ｍｍ〜０．１０ｍｍ）の範囲が有効である。また、前記毛細間隙４２は、一定の間隙寸法を備えなくてもよく、また、複数に分割された構成でもよい。
【００２６】
［８］前記出没式筆記具１（請求項７）において、前記開閉部材４が径方向に開閉自在な複数の可動片４３を備え、前記可動片４３の相互間に開閉自在の開閉口４１を形成し、ペン先３１が軸筒２内に没入状態のとき、略閉鎖した可動片４３により、前記毛細間隙４２を有する凹状壁部４５を構成してなること（請求項８)が好ましい。
【００２７】
前記出没式筆記具１（請求項８）によれば、ペン先３１が軸筒２内に没入状態にあるとき、ペン先３１からインキが漏出し滴下したとしても、凹状壁部４５内面が、ペン先３１から漏出し滴下したインキを確実に受け止めるとともに、開閉口４１の毛細間隙４２だけでは保持しきれない余剰の漏出インキを一時的に保持する。それにより、ペン先３１からインキが漏出し滴下したとしても、先端開口２１からインキが外部に漏出することを、より一層、回避することができる。
【００２８】
［９］前記出没式筆記具１（請求項２、３、５、６または８）において、前記凹状壁部４５の内面に凹凸部４６を設けたこと（請求項９）が好ましい。
【００２９】
前記出没式筆記具１（請求項９）によれば、前記凹凸部４６により、凹状壁部４５内面の表面積が増加し、凹状壁部４５内面のインキ保持力が増加する。
【００３０】
［１０］前記出没式筆記具１（請求項１乃至９）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキの粘度が、２０℃において、１〜５０ｍＰａ・ｓ（ミリパスカル・秒）の範囲であること（請求項１０）が好ましい。
【００３１】
前記出没式筆記具１（請求項１０）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた構成により、ペン先３１からのインキ蒸発を防ぐとともに、ペン先下向き状態におけるペン先３１からのインキの漏出を未然に防ぐことができる。さらに、万が一、ペン先３１からインキが漏出したとしても、請求項１乃至９の構成により、先端開口２１からのインキの漏出を防ぐことができる。即ち、出没式筆記具１（請求項１０）により、滑らかな筆記が可能となるとともに、先端開口２１からのインキ漏出事故に対する安全性が一層向上する。
【００３２】
［１１］前記出没式筆記具１（請求項１乃至９）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキが、Ｅ型回転粘度計による２０℃における回転数１００ｒｐｍでの粘度が、３〜１６０ｍＰａ・ｓ（ミリパスカル・秒）の範囲であり、且つ、剪断減粘性指数が０．８０〜０．９９（好ましくは０．９〜０．９９）の範囲であること（請求項１１）が好ましい。
【００３３】
前記出没式筆記具１（請求項１１）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた構成により、ペン先３１からのインキ蒸発を防ぐとともに、ペン先下向き状態におけるペン先３１からのインキの漏出を未然に防ぐことができる。さらに、万が一、ペン先３１からインキが漏出したとしても、請求項１乃至７の構成により、先端開口２１からのインキの漏出を防ぐことができる。即ち、出没式筆記具１（請求項１１）により、滑らかな筆記が可能となるとともに、先端開口２１からのインキ漏出事故に対する安全性が一層向上する。
【００３４】
尚、前記剪断減粘性指数は、粘度計により剪断応力値（Ｔ）及び剪断速度（ｊ）値の流動学的測定により導かれる実験式（Ｔ＝Ｋｊｎ：但し、Ｋは定数である）を適用して計算されるｎ値である。尚、前記Ｅ型回転粘度計とは、具体的には、ＥＭ型回転粘度計、ＥＬ型回転粘度計、ＥＨ型回転粘度計が挙げられる。
【考案の効果】
【００３５】
請求項１の出没式筆記具によれば、ペン先からインキが漏出しても、その漏出インキが先端開口から外部に漏出するおそれがなく、漏出インキで衣服や手が汚れるおそれがない。
【００３６】
請求項２の出没式筆記具によれば、ペン先からインキが漏出し滴下したとしても、先端開口からインキが外部に漏出することを、より一層、回避することができる。
【００３７】
請求項３の出没式筆記具によれば、毛細間隙及び凹状壁部に保持されたインキを、より一層、迅速に乾燥させることができる。
【００３８】
請求項４の出没式筆記具によれば、ペン先からインキが漏出しても、その漏出インキが先端開口から外部に漏出するおそれがなく、漏出インキで衣服や手が汚れるおそれがない。
【００３９】
請求項５の出没式筆記具によれば、ペン先からインキが漏出し滴下したとしても、先端開口からインキが外部に漏出することを、より一層、回避することができる。
【００４０】
請求項６の出没式筆記具によれば、毛細間隙及び凹状壁部に保持されたインキを、より一層、迅速に乾燥させることができる。
【００４１】
請求項７の出没式筆記具によれば、ペン先からインキが漏出しても、その漏出インキが先端開口から外部に漏出するおそれがなく、漏出インキで衣服や手が汚れるおそれがない。
【００４２】
請求項８の出没式筆記具によれば、ペン先からインキが漏出し滴下したとしても、先端開口からインキが外部に漏出することを、より一層、回避することができる。
【００４３】
請求項９の出没式筆記具によれば、凹状壁部内面のインキ保持力を増加できる。
【００４４】
請求項１０の出没式筆記具によれば、滑らかな筆記が可能となるとともに、先端開口からのインキ漏出事故に対する安全性が一層向上する。
【００４５】
請求項１１の出没式筆記具によれば、滑らかな筆記が可能となるとともに、先端開口からのインキ漏出事故に対する安全性が一層向上する。
【考案を実施するための最良の形態】
【００４６】
以下、本考案の実施の形態を図面に従い説明する。
【００４７】
（第１の実施の形態）
図１乃至図７に本考案の出没式筆記具１の第１の実施の形態を示す。
【００４８】
本実施の形態の出没式筆記具１は、軸筒２と、該軸筒２の内部に前後方向に移動可能に収容される筆記体３とからなる。前記筆記体３は、リターンスプリンング１１（圧縮コイルスプリング）により後方に付勢されている。
【００４９】
・軸筒
軸筒２は、合成樹脂の射出成形により得られ、先細状の先端部に先端開口２１を備えた前軸２２と、開閉部材４を介して接続される後軸２３とからなる。前記先端開口２１から筆記体３のペン先３１が出没する。前記軸筒２の後部（即ち後軸２３）には、ノック操作または回転操作により筆記体３を前後に移動させる出没機構（図示せず）が収容される。
【００５０】
・開閉部材
前記開閉部材４は、複数本（具体的には２本）の可動片４３と、該可動片４３の後端が接続される鍔状の支持部４４とが一体に形成されてなる。前記開閉部材４は、硬質合成樹脂（例えば、ポリアセタール樹脂、ポリカーボネイト樹脂、またはＡＢＳ樹脂）の成形体により構成される。前記支持部４４は、軸筒２の内面（即ち前軸２２の後端部内面）に固着される。前記可動片４３の後端は、支持部４４により固定され、一方、前記可動片４３の先端は、径方向に開閉作動可能である。前記複数本の可動片４３相互間に開閉自在の開閉口４１が構成される。前記開閉部材４の先端（即ち可動片４３の先端）は軸筒２先端の僅かに後方に配置される。
【００５１】
前記可動片４３は、ペン先３１が軸筒２内に没入状態のとき、完全に閉鎖状態とならず、略閉鎖状態となる。前記可動片４３が略閉鎖状態のとき、可動片４３相互間の開閉口４１が、略閉鎖状態となり、スリット状の毛細間隙４２を形成する。前記可動片４３が略閉鎖状態のとき、前記可動片４３の先端部には、先細状（即ち円錐凹面状またはすり鉢状）の凹状壁部４５が形成される。前記凹状壁部４５は、底壁と、該底壁に連設される筒状の側壁とからなる。前記可動片４３が略閉鎖状態のとき、凹状壁部４５の底壁及び凹状壁部４５の側壁にスリット状の毛細間隙４２が形成される。
【００５２】
前記可動片４３の先端部内面には、軸方向に延びる放射状の複数本（具体的には６本）のリブよりなる凹凸部４６が一体に形成されている。前記凹凸部４６は、可動片４３が略閉鎖状態のとき、凹状壁部４５の内面に位置される。
【００５３】
前記可動片４３が略閉鎖状態のとき、前記可動片４３の相互間には窓孔４７が形成される。前記窓孔４７により、可動片４３が略閉鎖状態であっても、可動片４３の先端部内面（凹状壁部４５内面）と外気とが連通される。
【００５４】
前記可動片４３は、径方向の弾発性（バネ性）を有し、ペン先没入時に自ら略閉鎖状態となる自己復元力を有する。前記可動片４３の中間部内面には、傾斜面状の当接部４３ａが形成されている。ペン先没入状態からペン先突出状態に移行する過程で、前記当接部４３ａに筆記体３の前部（具体的にはホルダー３２）が当接して、可動片４３が径方向外方に押し広げられる。尚、前記可動片４３の拡開作動は、ペン先突出操作に連動して作動する構成ならば、これに限らない。
【００５５】
・筆記体
筆記体３は、先端部にボール３１ａを回転可能に抱持したボールペンチップ３１（ペン先）と、該ボールペンチップ３１の後部が前部に圧入固着されたホルダー３２と、該ホルダー３２の後部が先端開口２１部に圧入固着されたインキ収容筒３３と、該インキ収容筒３３内に収容されるインキ及び追従体（図示せず）と、前記ボールペンチップ３１内に収容配置される弾発部材３４（スプリング）と、前記インキ収容筒３３の後端開口部に圧入固着される尾栓（図示せず）とからなる。尚、本考案において、前記筆記体３は、ペン先と、内部に直接インキを貯溜するインキタンクと、前記ペン先と前記インキタンクとの間に配置され、該インキタンクの内圧上昇に応じた余剰インキを毛細管力により一時的に保持するインキ保溜部材（例えば、櫛歯状部材、繊維加工体、または多孔質体等）とを備えるタイプ、または、ペン先と、該ペン先に接続されるインキ吸蔵体（例えば、繊維加工体、または多孔質体等）とを備えるタイプであってもよい。
【００５６】
前記ボールペンチップ３１は、先端部にボール３１ａを回転可能に抱持した金属製（例えば、ステンレス鋼製）のストレート状パイプよりなるニードルタイプである。前記ボールペンチップ３１の先端近傍内面には、内方への押圧変形により、ボール受け座となる４個の内方突出部が周方向に等間隔に形成される。前記内方突出部の前面は、円錐凹面状となっている。また、前記ボールペンチップ３１の先端部には、内方へのカシメ変形により環状の内向きの先端縁部３１ｂが形成される。前記先端縁部３１ｂ内面と内方突出部前面（ボール受け座）との間にはボール収納孔が形成され、前記ボール収納孔には、ボール３１ａ（ボール直径：０．５ｍｍまたは０．７ｍｍ）が回転可能且つ前後方向に移動可能に抱持される。さらに、前記ボール受け座後方のボールペンチップ３１内にはインキ流通孔が形成される。
【００５７】
前記ホルダー３２は、合成樹脂（例えば、ポリプロピレン樹脂、またはポリアセタール樹脂）の射出成形により得られる筒状体である。前記ホルダー３２は、ボールペンチップ３１が取り付けられる先細状の前部と、インキ収容筒３３の先端と当接する鍔部と、インキ収容筒３３の先端開口部に圧入される後部とからなる。前記ホルダー３２内部には、ボールペンチップ３１の後部が圧入固着される取付孔３２ａと、該取付孔３２ａにその先端が連通し且つその後端が外部に開口するインキ流通孔３２ｂとが設けられる。前記インキ流通孔３２ｂの中間部内面には、周状に分散配置される複数（例えば４個）の係止突起３２ｃが一体に形成される。
【００５８】
前記弾発部材３４は、線径０．１２ｍｍ〜０．１４ｍｍのステンレス鋼製線材よりなり、前部のストレート部３４ａと後部のコイル部３４ｂとが一体に連設されてなる。前記コイル部３４ｂの後端部には、外径が前方のコイル部３４ｂより大きく設定された膨出部３４ｃが形成される。前記膨出部３４ｃは、線材間が密着した密着巻部により形成される。前記膨出部３４ｃが，ホルダー３２内面の係止突起３２ｃを後方より乗り越えて、前記係止突起３２ｃの前面に係止される。前記ストレート部３４ａは、ボールペンチップ３１のインキ流通孔内に挿通され、前記ストレート部３４ａの先端は、ボール３１ａの後面を前方に押圧し、ボール３１ａが先端縁部３１ｂの内面に密接される。それにより、非筆記時、ボール３１ａと先端縁部３１ｂとの間からのインキ蒸発及びインキ漏出を防止する。
【００５９】
前記インキ収容筒３３は、両端が開口された円筒体であり、合成樹脂（例えば、ポリプロピレン樹脂）の押出成形により得られる。前記インキ収容筒３３の先端開口部には、ボールペンチップ３１を備えたホルダー３２の後部が圧入固着される。前記インキ収容筒３３の内部には、インキと、該インキの後端に配置され且つ該インキの消費に伴って前進する追従体とが充填される。
【００６０】
前記インキは、Ｂ型回転粘度計における２０℃での粘度が９ｍＰａ・ｓである水性インキ、または、ＥＬ型回転粘度計における２０℃での回転数１００ｒｐｍの粘度が３．５ｍＰａ・ｓであるとともに剪断減粘性指数が０．９７である水性インキである。
【００６１】
前記追従体は、高粘度流体と、該高粘度流体中に収容させた固形物とからなる。尚、前記追従体は、前記以外にも、固形物を備えない高粘度流体のみからなる構成、またはインキ収容筒３３内壁と摺動可能な固形物のみからなる構成であってもよい。
【００６２】
前記尾栓は、インキ収容筒３３の後端開口部に圧入固着される。前記尾栓は、軸方向に通気孔が貫設され、前記通気孔により、インキ収容筒３３内の追従体後方の空間と外気とが連通される
【００６３】
・開閉口の開閉
本実施の形態の出没式筆記具１は、ペン先没入状態（図２）からペン先突出状態（図６）に移行する際、ホルダー３２の鍔部が可動片４３内面の当接部４３ａに当接して、各々の可動片４３が径方向外方に押し広げられ、開閉口４１が大きく開口される。一方、ペン先突出状態（図６）からペン先没入状態（図２）に移行する際、各々の可動片４３が自己復元力により迅速かつ確実に閉じ、適正な毛細間隙４２を構成する。本実施の形態では、前記ボールペンチップ３１は可動片４３に接触しない。
【００６４】
・毛細間隙の作用
本実施の形態の出没式筆記具１において、万が一、ペン先下向き状態且つペン先没入状態で保管されたときに、ボールペンチップ３１の先端からインキが垂れ落ちたとしても、開閉部材４の毛細間隙４２及び凹状壁部４５内面に、前記垂れ落ちたインキが保持されるため、先端開口２１より外部にインキが漏出するおそれがない。その結果、本実施の形態の出没式筆記具１は、万が一、ボールペンチップ３１からインキが漏出し滴下しても、その漏出インキが先端開口２１から外部に漏出するおそれがない。尚、本実施の形態の出没式筆記具１において、毛細間隙４２の間隙寸法は、０．０１ｍｍ〜０．１ｍｍに設定されている。
【００６５】
また、本実施の形態の出没式筆記具１において、前記毛細間隙４２は先端開口２１を通して外気と連通されているため、前記毛細間隙４２に保持されたインキは、迅速に乾燥される。それにより、その後、ボールペンチップ３１が先端開口２１より突出し、開閉口４１が大きく開口しても、インキが外部に漏れ出すおそれがない。
【００６６】
・開閉部材先端の位置の作用
また、本実施の形態の出没式筆記具１において、開閉部材４を軸筒２の内部に設け、前記開閉部材４の先端（可動片４３の先端）を軸筒２の先端よりも後方に配置したことにより、ボールペンチップ３１が軸筒２内に没入状態のとき、開閉口４１が毛細間隙４２を形成したとしても、開閉部材４の先端は軸筒２内に位置し、外部に突出していない。そのため、開閉部材４の先端が衣服や手に接触することがなく、衣服や手が漏出インキで汚れるおそれがない。
【００６７】
・凹状壁部の作用
また、本実施の形態の出没式筆記具１において、ボールペンチップ３１が軸筒２内に没入状態にあるとき、ボールペンチップ３１からインキが漏出し滴下したとしても、凹状壁部４５内面が、ボールペンチップ３１から漏出し滴下したインキを確実に受け止めるとともに、開閉口４１の毛細間隙４２だけでは保持しきれない余剰の漏出インキを一時的に保持する。それにより、ボールペンチップ３１からインキが漏出し滴下したとしても、先端開口２１からインキが外部に漏出することを、より一層、回避することができる。
【００６８】
・窓孔の作用
また、本実施の形態の出没式筆記具１において、ボールペンチップ３１が軸筒２内に没入状態のとき、凹状壁部４５内が窓孔４７を通して外気と連通しているため、毛細間隙４２及び凹状壁部４５に保持されたインキを、より一層、迅速に乾燥させることができる。
【００６９】
・凹凸部の作用
また、本実施の形態の出没式筆記具１において、前記凹凸部４６により、凹状壁部４５内面の表面積が増加し、凹状壁部４５内面のインキ保持力が増加する。さらに、前記凹凸部４６（リブ）が、放射状に複数形成されている。それにより、凹状壁部４５の内面がボールペンチップ３１からの漏出インキを均一に保持できる。また、前記軸方向に延びる凹凸部４６（リブ）により、凹状壁部４５内面と毛細間隙４２との間のインキの移動を円滑にでき、その結果、ボールペンチップ３１から漏出して滴下したインキを迅速に毛細間隙４２に誘導でき、且つ、毛細間隙４２からの余剰インキを円滑に凹状壁部４５内面に供給することができる。
【００７０】
（第２の実施の形態）
図８乃至図１２に本考案の出没式筆記具１の第２の実施の形態を示す。
【００７１】
本実施の形態の出没式筆記具１は、軸筒２と、該軸筒２の内部に前後方向に移動可能に収容される筆記体３とからなる。前記筆記体３は、リターンスプリング１１（圧縮コイルスプリング）により後方に付勢されている。前記リターンスプリング１１の前端は、開閉部材４の後端に当接され、前記リターンスプリング１１の後端は筆記体３の前面に当接される。
【００７２】
・軸筒
軸筒２は、合成樹脂の射出成形により得られ、先細状の先端部に先端開口２１を備える前軸２２と、該前軸２２の後端に接続される後軸（図示せず）とからなる。前記先端開口２１から筆記体３のペン先３１が出没する。前記軸筒２の後部（即ち後軸）には、ノック操作または回転操作により筆記体３を前後に移動させる出没機構（図示せず）が収容される。
【００７３】
・開閉部材
前記開閉部材４は、複数本（具体的には２本）の可動片４３と、該可動片４３の後端が接続される鍔状の支持部４４とが一体に形成されてなる。前記開閉部材４は、硬質合成樹脂（例えば、ポリアセタール樹脂、ポリカーボネイト樹脂、またはＡＢＳ樹脂）の成形体により構成される。前記支持部４４は、軸筒２の先端部内面（即ち前軸２２の先端部内面）に固着される。前記可動片４３の後端は、支持部４４により固定され、一方、前記可動片４３の先端は、径方向に開閉作動可能である。前記複数本の可動片４３相互間に開閉自在の開閉口４１が構成される。前記開閉部材４の先端（即ち可動片４３の先端）は軸筒２先端の僅かに後方に配置される。
【００７４】
前記可動片４３は、ペン先３１が軸筒２内に没入状態のとき、完全に閉鎖状態とならず、略閉鎖状態となる。前記可動片４３が略閉鎖状態のとき、可動片４３相互間の開閉口４１が、略閉鎖状態となり、スリット状の毛細間隙４２を形成する。前記可動片４３が略閉鎖状態のとき、前記可動片４３の先端部には、先細状の凹状壁部４５が形成される。前記凹状壁部４５は、底壁と、該底壁に連設される筒状の側壁とからなる。前記可動片４３が略閉鎖状態のとき、凹状壁部４５の底壁及び凹状壁部４５の側壁にスリット状の毛細間隙４２が形成される。
【００７５】
前記可動片４３の先端部内面には、軸方向に延びる放射状の複数本（具体的には６本）のリブよりなる凹凸部４６が一体に形成されている。前記凹凸部４６は、可動片４３が略閉鎖状態のとき、凹状壁部４５の内面に位置される。
【００７６】
前記可動片４３が略閉鎖状態のとき、前記可動片４３の相互間には窓孔４７が形成される。前記窓孔４７により、可動片４３が略閉鎖状態であっても、可動片４３の先端部内面（凹状壁部４５内面）と外気とが連通される。
【００７７】
前記可動片４３は、径方向の弾発性（バネ性）を有し、ペン先没入時に自ら略閉鎖状態となる自己復元力を有する。前記可動片４３の中間部内面には、傾斜面状の当接部４３ａが形成されている。ペン先没入状態からペン先突出状態に移行する過程で、前記当接部４３ａに筆記体３の前部（具体的にはホルダー３２）が当接して、可動片４３が径方向外方に押し広げられる。尚、前記可動片４３の拡開作動は、ペン先突出操作に連動して作動する構成ならば、これに限らない。
【００７８】
・開閉口の開閉
本実施の形態の出没式筆記具１は、ペン先没入状態（図８）からペン先突出状態（図１２）に移行する際、ホルダー３２の前端が可動片４３内面の当接部４３ａに当接して、開閉部材４の各々の可動片４３が径方向外方に押し広げられ、開閉口４１が大きく開口される。一方、ペン先突出状態（図１２）からペン先没入状態（図８）に移行する際、各々の可動片４３が自己復元力により迅速かつ確実に閉じ、適正な毛細間隙４２を構成する。本実施の形態では、前記ボールペンチップ３１は可動片４３に接触しない。
【００７９】
尚、本実施の形態における他の構成（即ち、筆記体３の構成）及び作用（即ち、毛細間隙４２の作用、開閉部材４先端の位置の作用、凹状壁部４５の作用、窓孔４７の作用、凹凸部４６の作用）は、第１の実施の形態と共通であるため、説明は省略する。
【００８０】
（第３の実施の形態）
図１３乃至図１６に本考案の出没式筆記具１の第３の実施の形態を示す。
【００８１】
本実施の形態の出没式筆記具１は、第１の実施の形態と同様、軸筒２と、該軸筒２の内部に前後方向に移動可能に収容される筆記体３とからなる。前記筆記体３は、第１の実施の形態と同様、リターンスプリング（圧縮コイルスプリング）により後方に付勢されている。
【００８２】
・開閉部材
前記開閉部材４は、複数本（具体的には４本）の可動片４３と、該可動片４３の後端が接続される鍔状の支持部４４とが一体に形成されてなる。前記開閉部材４は、硬質合成樹脂（例えば、ポリアセタール樹脂、ポリカーボネイト樹脂、またはＡＢＳ樹脂）の成形体により構成される。前記支持部４４は、軸筒２の内面（即ち前軸２２の後端部内面）に固着される。前記可動片４３の後端は、支持部４４により固定され、一方、前記可動片４３の先端は、径方向に開閉作動可能である。前記複数本の可動片４３相互間に開閉自在の開閉口４１が構成される。前記開閉部材４の先端（即ち可動片４３の先端）は軸筒２先端の僅かに後方に配置される。
【００８３】
前記可動片４３は、ペン先３１が軸筒２内に没入状態のとき、完全に閉鎖状態とならず、略閉鎖状態となる。前記可動片４３が略閉鎖状態のとき、可動片４３相互間の開閉口４１が、略閉鎖状態となり、スリット状の毛細間隙４２を形成する。前記可動片４３が略閉鎖状態のとき、前記可動片４３により、先細状（即ち円錐凹面状またはすり鉢状）の凹状壁部４５が形成される。前記凹状壁部４５は、底壁と、該底壁に連設される筒状の側壁とからなる。前記可動片４３が略閉鎖状態のとき、凹状壁部４５の底壁及び凹状壁部４５の側壁にスリット状の毛細間隙４２が形成される。但し、本実施の形態では、前記可動片４３が略閉鎖状態のとき、前記可動片４３の相互間には第１の実施の形態のような窓孔４７は形成されていない。
【００８４】
前記可動片４３は、径方向の弾発性（バネ性）を有し、ペン先没入時に自ら略閉鎖状態となる自己復元力を有する。前記可動片４３の中間部内面には、傾斜面状の当接部４３ａが形成されている。ペン先没入状態からペン先突出状態に移行する過程で、前記当接部４３ａに筆記体３の前部（具体的にはホルダー３２）が当接して、可動片４３が径方向外方に押し広げられる。尚、前記可動片４３の拡開作動は、ペン先突出操作に連動して作動する構成ならば、これに限らない。
【００８５】
・開閉口の開閉
本実施の形態の出没式筆記具１は、ペン先没入状態（図１３）からペン先突出状態（図示せず）に移行する際、ホルダー３２の鍔部が可動片４３内面の当接部４３ａに当接して、開閉部材４の各々の可動片４３が径方向外方に押し広げられ、開閉口４１が大きく開口される。一方、ペン先突出状態からペン先没入状態（図１３）に移行する際、各々の可動片４３が自己復元力により迅速かつ確実に閉じ、適正な毛細間隙４２を構成する。本実施の形態では、前記ボールペンチップ３１は可動片４３に接触しない。
【００８６】
尚、本実施の形態における他の構成（即ち、筆記体３の構成）及び作用（即ち、毛細間隙４２の作用、開閉部材４先端の位置の作用、凹状壁部４５の作用）は、第１の実施の形態と共通であるため、説明は省略する。
【００８７】
（第４の実施の形態）
図１７乃至図２０に本考案の出没式筆記具１の第４の実施の形態を示す。
【００８８】
本実施の形態の出没式筆記具１は、軸筒２と、該軸筒２の内部に前後方向に移動可能に収容される筆記体３とからなる。前記筆記体３は、リターンスプリング１１（圧縮コイルスプリング）により後方に付勢されている。前記リターンスプリング１１の前端は、開閉部材４の後端に当接され、前記リターンスプリング１１の後端は筆記体３の前面に当接される。
【００８９】
・軸筒
軸筒２は、合成樹脂の射出成形により得られ、先細状の先端部に先端開口２１を備える前軸２２と、該前軸２２の後端に接続される後軸（図示せず）とからなる。前記先端開口２１から筆記体３のペン先３１が出没する。前記軸筒２の後部（即ち後軸）には、ノック操作または回転操作により筆記体３を前後に移動させる出没機構（図示せず）が収容される。
【００９０】
・開閉部材
前記開閉部材４は、複数本（具体的には２本）の可動片４３と、該可動片４３の後端が接続される鍔状の支持部４４とが一体に形成されてなる。前記開閉部材４は、弾性体（例えば、ゴム、エラストマー、軟質合成樹脂等）により構成される。前記支持部４４は、軸筒２の先端部内面（即ち前軸２２の先端部内面）に固着される。前記可動片４３の後端は、支持部４４により固定され、一方、前記可動片４３の先端は、径方向に開閉作動可能である。前記複数本の可動片４３相互間に開閉自在の開閉口４１が構成される。前記開閉部材４の先端（即ち可動片４３の先端）は軸筒２先端の僅かに後方に配置される。
【００９１】
前記可動片４３は、ペン先３１が軸筒２内に没入状態のとき、完全に閉鎖状態とならず、略閉鎖状態となる。前記可動片４３が略閉鎖状態のとき、可動片４３相互間の開閉口４１が、略閉鎖状態となり、スリット状の毛細間隙４２を形成する。前記可動片４３が略閉鎖状態のとき、前記可動片４３によりは、先細状の凹状壁部４５が形成される。前記凹状壁部４５は、底壁と、該底壁に連設される筒状の側壁とからなる。前記可動片４３が略閉鎖状態のとき、凹状壁部４５の底壁及び凹状壁部４５の側壁にスリット状の毛細間隙４２が形成される。但し、本実施の形態では、前記可動片４３が略閉鎖状態のとき、前記可動片４３の相互間には第２の実施の形態のような窓孔４７は形成されていない。
【００９２】
前記可動片４３の先端部内面には、軸方向に延びる放射状の複数本（具体的には６本）のリブよりなる凹凸部４６が一体に形成されている。前記凹凸部４６は、可動片４３が略閉鎖状態のとき、凹状壁部４５の内面に位置される。
【００９３】
前記可動片４３は、ペン先没入時に自ら略閉鎖状態となる自己復元力を有する。前記可動片４３の中間部内面には、傾斜面状の当接部４３ａが形成されている。ペン先没入状態からペン先突出状態に移行する過程で、前記当接部４３ａに筆記体３の前部（具体的にはホルダー３２）が当接して、可動片４３が径方向外方に押し広げられる。前記可動片４３が略閉鎖状態のとき、前記スリット状の毛細間隙４２の後端は、前記当接部４３ａに位置し、それにより、可動片４３の適正な自己復元力を得る。尚、前記可動片４３の拡開作動は、ペン先突出操作に連動して作動する構成ならば、これに限らない。
【００９４】
・開閉口の開閉
本実施の形態の出没式筆記具１は、ペン先没入状態（図１７）からペン先突出状態（図２１）に移行する際、ホルダー３２の前端が可動片４３内面の当接部４３ａに当接して、開閉部材４の各々の可動片４３が径方向外方に押し広げられ、開閉口４１が大きく開口される。一方、ペン先突出状態（図２１）からペン先没入状態（図１７）に移行する際、各々の可動片４３が自己復元力により迅速かつ確実に閉じ、適正な毛細間隙４２及び凹状壁部４５を構成する。本実施の形態では、前記ボールペンチップ３１は可動片４３に接触しない。
【００９５】
尚、本実施の形態における他の構成（即ち、筆記体３の構成）及び作用（即ち、毛細間隙４２の作用、開閉部材４先端の位置の作用、凹状壁部４５の作用、窓孔４７の作用、凹凸部４６の作用）は、第１の実施の形態と共通であるため、説明は省略する。
【図面の簡単な説明】
【００９６】
【図１】本考案の第１の実施の形態のペン先没入状態を示す要部縦断面図である。
【図２】図１の要部拡大図である。
【図３】図２のＡ−Ａ線断面図である。
【図４】図２のＢ−Ｂ線断面図である。
【図５】図２のＣ−Ｃ線断面図である。
【図６】図１のペン先突出状態を示す要部拡大図である。
【図７】図１の開閉部材を示す斜視図である。
【図８】本考案の第２の実施の形態のペン先没入状態を示す要部縦断面図である。
【図９】図８のＤ−Ｄ線断面図である。
【図１０】図８のＥ−Ｅ線断面図である。
【図１１】図８のＦ−Ｆ線断面図である。
【図１２】図８のペン先突出状態を示す要部縦断面図である。
【図１３】本考案の第３の実施の形態のペン先没入状態を示す要部縦断面図である。
【図１４】図１３のＧ−Ｇ線断面図である。
【図１５】図１３のＨ−Ｈ線断面図である。
【図１６】図１３の開閉部材を示す斜視図である。
【図１７】本考案の第４の実施の形態のペン先没入状態を示す要部縦断面図である。
【図１８】図１７のＩ−Ｉ線断面図である。
【図１９】図１７のＪ−Ｊ線断面図である。
【図２０】図１７のＫ−Ｋ線断面図である。
【図２１】図１７のペン先突出状態を示す要部縦断面図である。
【符号の説明】
【００９７】
１  出没式筆記具
１１  リターンスプリング
２  軸筒
２１  先端開口
２２  前軸
２３  後軸
３  筆記体
３１  ペン先（ボールペンチップ）
３１ａ  ボール
３１ｂ  先端縁部
３２  ホルダー
３２ａ  取付孔
３２ｂ  インキ流通孔
３２ｃ  係止突起
３３  インキ収容筒
３４  弾発部材
３４ａ  ストレート部
３４ｂ  コイル部
３４ｃ  膨出部
４  開閉部材
４１  開閉口
４２  毛細間隙
４３  可動片
４３ａ  当接部
４４  支持部
４５  凹状壁部
４６  凹凸部（リブ）
４７  窓孔
【図１】
0003148691.tif 000003
【図２】
0003148691.tif 000004
【図３】
0003148691.tif 000005
【図４】
0003148691.tif 000006
【図５】
0003148691.tif 000007
【図６】
0003148691.tif 000008
【図７】
0003148691.tif 000009
【図８】
0003148691.tif 000010
【図９】
0003148691.tif 000011
【図１０】
0003148691.tif 000012
【図１１】
0003148691.tif 000013
【図１２】
0003148691.tif 000014
【図１３】
0003148691.tif 000015
【図１４】
0003148691.tif 000016
【図１５】
0003148691.tif 000017
【図１６】
0003148691.tif 000018
【図１７】
0003148691.tif 000019
【図１８】
0003148691.tif 000020
【図１９】
0003148691.tif 000021
【図２０】
0003148691.tif 000022
【図２１】
0003148691.tif 000023